(57)【要約】【課題】表示パネルが鉛直に対して水平に近い角度で傾斜した姿勢で通信端末装置本体に装着される構成であっても、水平に対して下方に大きな視野角で撮像することができる通信端末装置を提供する。【解決手段】通信端末装置本体１２は、略水平な載置面１７に載置される。通信端末装置本体１２には、表示パネル本体１３が着脱可能に装着される。表示パネル本体１３には、撮像カメラ１４が前方撮像位置と後方撮像位置とにわたって角変位可能に設けられる。この表示パネル本体１３には、撮像カメラ１４のレンズ装着部４２が前方撮像位置に配置された状態における上下方向の視野角内の領域４４に下方から臨む傾斜部４８が設けられる。これによって、撮像カメラ１４のレンズ装着部４２が前方撮像位置に配置された状態において、表示パネル本体１３の一部が上下方向の視野角内の領域４４に入り込んでしまうという不具合が防がれる。【選択図】      図１
2005012576.tif 000002
【特許請求の範囲】
【請求項１】
略水平な載置面に載置され、通信回線に接続される通信端末装置本体と、
前記通信端末装置本体に着脱可能に装着されるとともに通信端末装置本体と通信可能とされ、所定の情報画像を表示する画像表示部を有する表示パネル本体と、
撮像レンズが装着されるレンズ装着部を有し、前記表示パネル本体に、レンズ装着部の上下視野角内の領域が水平な角変位中心軸線を含む水平面よりも下方に突出した前方撮像位置と、前記水平な軸線を含む鉛直面に関して反転し前記水平面よりも下方に突出した後方撮像位置とにわたって上下方向に角変位可能に設けられる撮像カメラとを含み、
前記表示パネル本体には、撮像カメラのレンズ装着部が前記前方撮像位置に配置された状態における上下方向の視野角内の領域に下方から臨む傾斜部が設けられることを特徴とする通信端末装置。
【請求項２】
前記表示パネル本体には、前記撮像カメラが角変位可能に嵌まり込み、表示パネル本体が通信端末装置本体に装着された状態で上方に開放しかつ表示パネル本体を厚み方向に貫通する凹所が形成され、この凹所を介して前記傾斜部が上下方向の視野角内の領域に下方から臨むことを特徴とする請求項１記載の通信端末装置。
【請求項３】
前記傾斜部は、表示パネル本体の一表面と前記凹所に臨む凹状面とに滑らかに連なる曲面によって形成されることを特徴とする請求項１または２記載の通信端末装置。
【請求項４】
前記表示パネル本体は、少なくとも前記撮像カメラ、配線基板および液晶表示素子が設けられる実装部品組立体と、前記液晶表示素子が嵌まり込む開口部が形成されかつ前記傾斜部が設けられ、前記実装部品組立体を一表面側から覆う前カバー体と、前記実装部品組立体を他表面側から覆う後カバー体とを有することを特徴とする請求項１〜３のいずれか１つに記載の通信端末装置。
【請求項５】
前記表示パネル本体には、撮像カメラが前方撮像位置と後方撮像位置とにわたって角変位可能に連結されるカメラ保持手段が設けられることを特徴とする請求項１〜４のいずれか１つに記載の通信端末装置。
【請求項６】
前記表示パネル本体には、撮像カメラが前方撮像位置と後方撮像位置とにわたって角変位可能に連結されるカメラ保持手段が設けられ、このカメラ保持手段は、前方撮像位置および後方撮像位置間で前記撮像カメラの角変位動作を制動する制動手段を含むことを特徴とする請求項１〜４のいずれか１つに記載の通信端末装置。
【請求項７】
前記表示パネル本体には、撮像カメラが前方撮像位置と後方撮像位置とにわたって角変位可能に連結されるカメラ保持手段が設けられ、このカメラ保持手段は、前方撮像位置および後方撮像位置で前記撮像カメラの角変位動作を解除可能に係止する係止手段を含むことを特徴とする請求項１〜４のいずれか１つに記載の通信端末装置。
【請求項８】
前記表示パネル本体には、この表示パネル本体の予め定める把持位置を使用者が手で把持したときに手指が部分的に嵌まり込む把持位置案内部が形成されることを特徴とする請求項１〜７のいずれか１つに記載の通信端末装置。
【請求項９】
前記通信端末装置本体は、通信回線に有線で接続されることを特徴とする請求項１〜８のいずれか１つに記載の通信端末装置。
【発明の詳細な説明】
【０００１】
【発明の属する技術分野】
本発明は、撮像カメラを備える表示パネルが搭載され、通信機能を有する電話機およびファクシミリ装置などとして実現される通信端末装置に関する。
【０００２】
【従来の技術】
近年、インターネット通信機能を備えるファクシミリ装置の普及に伴って、画像情報をも高速で送受信することが可能となり、ファクシミリ装置には、室内を撮影するための撮像カメラが搭載された表示パネルが装備されている。この表示パネルは、通信端末装置本体としてのファクシミリ装置本体に着脱可能に装着され、ブルートゥース（Ｂｌｕｅｔｏｏｔｈ）規格に基づく無線通信システムによってファクシミリ装置本体と通信することができる。
【０００３】
またこのファクシミリ装置本体は、電話回線を介して通信ネットワークに接続され、他のファクシミリ装置との通信が可能であるとともに、携帯電話などの携帯端末機器およびパーソナルコンピュータとも通信することができる複数の通信モード選択機能を備え、撮像カメラによって撮像した画像を相手先へ送信し、また相手先から送信されてきた画像を表示パネルに表示することができるように構成されている。
【０００４】
前記ファクシミリ装置本体は、その実使用状態では、室内において床からの高さが約７０ｃｍ〜７５ｃｍの電話台などの基台に載置されており、このファクシミリ装置本体に搭載される撮像カメラの床からの高さは約１ｍである。このような高さ位置から前記撮像カメラによって室内を撮像するとき、撮像カメラの上下方向および左右方向の視野角は一定であるため、撮像カメラ自体を水平軸線まわりに回動可能とし、正面側から背後側にわたって前記視野角の撮像領域を移動することができるように構成されるが、撮像対象がファクシミリ装置に近接し、かつ撮像カメラよりも低い位置に存在する場合、その撮像対象は撮像カメラの視野から外れてしまい、撮像することが不可能になってしまう。
【０００５】
しかも、ファクシミリ装置本体に対する表示パネルの装着状態における姿勢、および表示パネルに対する撮像カメラの取付け状態における姿勢は、ファクシミリ装置本体、表示パネルおよび撮像カメラの構造上の制約によって自由度が低く、撮像範囲をむやみに大きくすることはできない。この問題を解決する従来技術として、次の第１〜第３の従来技術が周知である。
【０００６】
第１の従来技術では、テレビ電話装置において、通信端末装置本体としての電話機本体と、電話機本体に着脱可能に搭載される表示パネルとを有する。表示パネルは、たとえば電荷結合素子（Ｃｈａｒｇｅ  Ｃｏｕｐｌｅｄ  Ｄｅｖｉｃｅ、略称ＣＣＤ）によって実現される撮像素子を備える撮像部と、撮像部が一側部に回動自在に連結され、撮像部によって撮像された画像を表示する表示部とが設けられる。
【０００７】
前記表示パネルを電話機本体から分離した状態では、撮像部を表示部に対して異なる方向へ向けて撮像することができる。撮像部には、撮像素子を表示部と同一側に向けた状態では下方に臨み、撮像素子を表示部とは反対側へ向けた状態では上方に臨む部位に、撮像を指示する撮像スイッチが設けられる。
【０００８】
前記表示パネルが電話機本体に装着された状態では、前記表示部は使用者から見て手前側に臨み、かつ撮像部の撮像スイッチは下方に臨む部位に配置されるが、表示パネルを電話機本体から分離した状態では、撮像部を前記撮像素子が表示部とは反対側に臨むように回動させるので、撮像スイッチは撮像部の上方に臨む部位に配置されている（たとえば、特許文献１参照）。
【０００９】
第２の従来技術では、玄関扉の側方の壁面に設けられるドアホン子器において、来訪者がドアホン子器の正面から外れた位置に移動した場合、および玄関周辺の壁構造などの制約によって適切な位置にドアホン子器を設置することができない場合には、来訪者がカメラの撮像範囲外となって、来訪者が的確に撮像されないという問題を解決するために、撮像カメラを有するカメラユニットを球面体に形成し、この球面体のカメラユニットを、ドアホン子器内に設けた支持調整機構によって、上下・左右に移動調整可能に支持している（たとえば、特許文献２参照）。
【００１０】
第３の従来技術では、前述の第２の従来技術と類似し、玄関先の来訪者を撮像するに際して、取付け高さに応じてカメラの視野角を最適に調整するために、視野角度調整装置が設けられたドアホン子器に、スライド式のレンズ角度調整レバーと、レンズの向いている角度を表示する角度表示目盛りと、ドアホン子器の取付け位置の高さを表示する取付け高さ表示目盛りとを設けて、ドライバなどの締付け工具を用いずにカメラの視野角を調整することができるように構成されている（たとえば、特許文献３参照）。
【００１１】
【特許文献１】
特開平１１−３１７９０２号公報
【特許文献２】
特開平７−１７７３９９号公報
【特許文献３】
特開２０００−２４４８９９号公報
【００１２】
【発明が解決しようとする課題】
第１の従来技術では、表示パネルの撮像部は表示部に対して回動可能に連結され、表示パネルを電話機本体から分離した状態では前記撮像部を表示部に対して回動軸線まわりに回動させて希望する向きに撮像素子を指向させることができるが、前記表示パネルが電話機本体に装着された状態では、撮像部が電話機本体に接触するため、撮像部を表示部に対して回動させて希望する向きに指向させることができないという問題がある。
【００１３】
第２の従来技術では、支持調整機構によってカメラユニットを上下・左右に移動させることができるが、前記ドアホン子器が設けられる壁面はほぼ鉛直であるため、ドアホン子器に搭載されるカメラユニットを支持調整機構によって希望する向きに指向させても、カメラユニットの視野角の上下方向に関する範囲は、玄関扉側方の壁面に垂直な法線を基準に上下に移動可能な範囲に限られ、ドアホン子器として使用される取付高さは、来訪者が立った状態を想定して撮像可能な高さを前提とし、前記壁面に垂直な法線に対して鉛直面上で４５°を超える大きな角度でカメラレンズを指向させる必要がない。
【００１４】
そのため、前記ファクシミリ装置のように、ファクシミリ装置本体には表示パネルが水平に対して約１５°〜４５°の角度範囲で使用者側に向かって傾斜した状態で装着され、この表示パネルに設けられる撮像部を、前記第２の従来技術の支持調整機構によって撮像部が、使用者に対向する側である正面側（手前側）に、たとえば水平方向に指向する程度の大きな角度範囲で回動することができるようにしても、カメラユニットの撮像範囲内にこのカメラユニットが収容されるハウジングの一部が入り込んでしまい、実質上、希望する向きにカメラユニットを指向させて、水平よりも下方に大きな視野角を成す領域を撮像することができないという問題がある。
【００１５】
第３の従来技術では、視野角度調整装置によってカメラの視野角を上下に調整することができるが、前述の第２の従来技術と同様に、カメラがハウジング内に収容されるので、カメラの撮像範囲内に前記ハウジングの一部が入り込んでしまい、実質上、希望する向きにカメラを指向させて、水平よりも下方に大きな視野角を成す領域を撮像することができないという問題がある。
【００１６】
本発明の目的は、表示パネルが鉛直に対して水平に近い角度で傾斜した姿勢で通信端末装置本体に装着される構成であっても、水平に対して下方に大きな視野角で撮像することができるようにした通信端末装置を提供することである。
【００１７】
【課題を解決するための手段】
本発明は、略水平な載置面に載置され、通信回線に接続される通信端末装置本体と、
前記通信端末装置本体に着脱可能に装着されるとともに通信端末装置本体と通信可能とされ、所定の情報画像を表示する画像表示部を有する表示パネル本体と、
撮像レンズが装着されるレンズ装着部を有し、前記表示パネル本体に、レンズ装着部の上下視野角内の領域が水平な角変位中心軸線を含む水平面よりも下方に突出した前方撮像位置と、前記水平な軸線を含む鉛直面に関して反転し前記水平面よりも下方に突出した後方撮像位置とにわたって上下方向に角変位可能に設けられる撮像カメラとを含み、
前記表示パネル本体には、撮像カメラのレンズ装着部が前記前方撮像位置に配置された状態における上下方向の視野角内の領域に下方から臨む傾斜部が設けられることを特徴とする通信端末装置である。
【００１８】
本発明に従えば、通信端末装置本体は、略水平な載置面に載置される。通信端末装置本体には、表示パネル本体が着脱可能に装着される。表示パネル本体には、撮像カメラが角変位可能に設けられる。この表示パネル本体には、撮像カメラのレンズ装着部が前方撮像位置に配置された状態における上下方向の視野角内の領域に下方から臨む傾斜部が設けられる。これによって、撮像カメラのレンズ装着部が前方撮像位置に配置された状態において、表示パネル本体の一部が上下方向の視野角内の領域に入り込んでしまうという不具合が防がれる。
【００１９】
特に本発明では、表示パネル本体が鉛直に対して水平に近い角度で傾斜した姿勢で通信端末装置本体に装着される構成であっても、前記状態において表示パネル本体の一部が上下方向の視野角内の領域に入り込んでしまうという不具合が防がれるので、水平に対して下方に大きな視野角で撮像することができる。
【００２０】
また本発明は、前記表示パネル本体には、前記撮像カメラが角変位可能に嵌まり込み、表示パネル本体が通信端末装置本体に装着された状態で上方に開放しかつ表示パネル本体を厚み方向に貫通する凹所が形成され、この凹所を介して前記傾斜部が上下方向の視野角内の領域に下方から臨むことを特徴とする。
【００２１】
本発明に従えば、表示パネル本体には、表示パネル本体が通信端末装置本体に装着された状態で上方に開放しかつ表示パネル本体を厚み方向に貫通する凹所が形成される。撮像カメラは、このような凹所に角変位可能に嵌まり込む。したがって撮像カメラは凹所に収容された状態となる。これによって撮像カメラと他の物体との接触および衝突などを極力防ぎ、撮像カメラを衝撃から保護することが可能となる。
【００２２】
しかも表示パネル本体に設けられる傾斜部は、前記凹所を介して上下方向の視野角内の領域に下方から臨む。したがって撮像カメラが前述のように凹所に嵌まり込んでいても、撮像カメラのレンズ装着部が前方撮像位置に配置された状態において、表示パネル本体の一部が上下方向の視野角内の領域に入り込んでしまうという不具合が防がれる。
【００２３】
さらに本発明は、前記傾斜部は、表示パネル本体の一表面と前記凹所に臨む凹状面とに滑らかに連なる曲面によって形成されることを特徴とする。
【００２４】
本発明に従えば、傾斜部が、表示パネル本体の一表面と前記凹所に臨む凹状面とに滑らかに連なる曲面によって形成されるので、美観を向上することができる。
【００２５】
さらに本発明は、前記表示パネル本体は、少なくとも前記撮像カメラ、配線基板および液晶表示素子が設けられる実装部品組立体と、前記液晶表示素子が嵌まり込む開口部が形成されかつ前記傾斜部が設けられ、前記実装部品組立体を一表面側から覆う前カバー体と、前記実装部品組立体を他表面側から覆う後カバー体とを有することを特徴とする。
【００２６】
本発明に従えば、実装部品組立体には、撮像カメラ、配線基板および液晶表示素子が設けられる。前カバー体は、前記実装部品組立体を一表面側から覆い、後カバー体は、前記実装部品組立体を他表面側から覆う。表示パネル本体は、前述の実装部品組立体、前カバー体および後カバー体を含んで構成されるので、これらを個別に準備して組み立てることによって、組立性を向上することができる。また特に実装部品組立体に撮像カメラが設けられるので、前カバー体および後カバー体によって撮像カメラを角変位可能に保持する場合に比べて、より安定した撮像カメラの角変位動作を実現することができる。
【００２７】
さらに本発明は、前記表示パネル本体には、撮像カメラが前方撮像位置と後方撮像位置とにわたって角変位可能に連結されるカメラ保持手段が設けられることを特徴とする。
【００２８】
本発明に従えば、表示パネル本体にはカメラ保持手段が設けられる。カメラ保持手段には、撮像カメラが前方撮像位置と後方撮像位置とにわたって角変位可能に連結される。カメラ保持手段によって、撮像カメラを表示パネル本体に角変位可能に設けることができる。
【００２９】
さらに本発明は、前記表示パネル本体には、撮像カメラが前方撮像位置と後方撮像位置とにわたって角変位可能に連結されるカメラ保持手段が設けられ、このカメラ保持手段は、前方撮像位置および後方撮像位置間で前記撮像カメラの角変位動作を制動する制動手段を含むことを特徴とする。
【００３０】
本発明に従えば、表示パネル本体には、カメラ保持手段が設けられる。カメラ保持手段には、撮像カメラが前方撮像位置と後方撮像位置とにわたって角変位可能に連結される。カメラ保持手段は、制動手段を含み、この制動手段は、前方撮像位置および後方撮像位置間で撮像カメラの角変位動作を制動する。これによって撮像カメラがむやみに角変位してしまうという不具合を防止することができる。
【００３１】
さらに本発明は、前記表示パネル本体には、撮像カメラが前方撮像位置と後方撮像位置とにわたって角変位可能に連結されるカメラ保持手段が設けられ、このカメラ保持手段は、前方撮像位置および後方撮像位置で前記撮像カメラの角変位動作を解除可能に係止する係止手段を含むことを特徴とする。
【００３２】
本発明に従えば、表示パネル本体には、カメラ保持手段が設けられる。カメラ保持手段には、撮像カメラが前方撮像位置と後方撮像位置とにわたって角変位可能に連結される。カメラ保持手段は、係止手段を含み、この係止手段は、前方撮像位置および後方撮像位置で撮像カメラの角変位動作を解除可能に係止する。係止手段によって角変位動作が係止される時、いわゆるクリック感を使用者に与えることができる。これによって撮像カメラが前方撮像位置および後方撮像位置のいずれかに角変位動作されたことを、使用者に認識させることができる。
【００３３】
さらに本発明は、前記表示パネル本体には、この表示パネル本体の予め定める把持位置を使用者が手で把持したときに手指が部分的に嵌まり込む把持位置案内部が形成されることを特徴とする。
【００３４】
本発明に従えば、表示パネル本体には、把持位置案内部が設けられる。把持位置案内部は、表示パネル本体の予め定める把持位置を使用者が手で把持したときに手指が部分的に嵌まり込むように形成される。これによって使用者が手で安定した状態で表示パネル本体を把持することができるように、使用者の手指を案内することができる。
【００３５】
さらに本発明は、前記通信端末装置本体は、通信回線に有線で接続されることを特徴とする。
【００３６】
本発明に従えば、通信端末装置本体が通信回線に有線で接続されるので、無線で接続される場合に比べて、安定した通信を容易に実現することができる。
【００３７】
【発明の実施の形態】
図１は、本発明の実施の一形態の通信端末装置１１の全体の構成を示す斜視図である。通信端末装置１１は、たとえば電話回線などの通信回線（図示せず）に有線で接続される通信端末装置本体１２と、この通信端末装置本体１２に着脱可能に装着される表示パネル本体１３と、この表示パネル本体１３に設けられる撮像カメラ１４とを含む。前記表示パネル本体１３および撮像カメラ１４を含んで、表示パネル１５が構成される。
【００３８】
本実施の形態の通信端末装置１１は、ファクシミリ装置として実現される。通信端末装置は、本発明において、必ずしもファクシミリ装置に限定されることはなく、前述のような通信端末装置本体、表示パネル本体および撮像カメラを備える電話機などの各種の通信端末装置として実現されてもよい。また通信端末装置は、通信端末装置本体が通信回線に、必ずしも有線で接続される必要はなく、無線で接続されてもよい。
【００３９】
通信端末装置１１は、前記通信回線を介して通信ネットワークに接続され、他のファクシミリ装置と通信することができるように構成されている。また通信端末装置１１は、他のファクシミリ装置だけに限らず、たとえば携帯電話などの携帯端末機器およびパーソナルコンピュータとも通信することができるように構成されている。
【００４０】
通信端末装置本体１２は、その実使用状態では、略水平な載置面１７に載置される。具体的には、通信端末装置本体１２は、室内において略水平な載置面１７を有するたとえば電話台などの基台１８に載置される。本実施の形態において「略水平」とは、水平を含む。本実施の形態では、このような実使用状態を想定して、通信端末装置１１について説明する。
【００４１】
図２は、表示パネル本体１３が通信端末装置本体１２に装着された状態における通信端末装置１１を示す正面図であり、図３は表示パネル本体１３が通信端末装置本体１２から離脱された状態における通信端末装置１１を示す正面図であり、図４は表示パネル１５の背面図であり、図５は通信端末装置本体１２の正面図である。
【００４２】
表示パネル本体１３には、パネル側コネクタ２０が設けられ、通信端末装置本体１２には、本体側コネクタ２１が設けられる。通信端末装置１１では、通信端末装置本体１２に対して表示パネル本体１３を、図２に示すように通信端末装置本体１２に装着して、装着状態とすることができるとともに、図３に示すように通信端末装置本体１２から離脱して、離脱状態とすることができる。
【００４３】
図２に示す前記装着状態では、前記各コネクタ２０，２１は接続され、通信端末装置本体１２と表示パネル本体１３とは電気的に接続される。この装着状態では、各コネクタ２０，２１を介して、通信端末装置本体１２から表示パネル本体１３に電力を供給することができるとともに、通信端末装置本体１２および表示パネル本体１３間で、有線通信によって、情報を送受信することができる。
【００４４】
図３に示す前記離脱状態では、前記各コネクタ２０，２１の接続は解除され、通信端末装置本体１２から表示パネル本体１３への電力の供給は停止される。この離脱状態では、通信端末装置本体１２および表示パネル本体１３間は、ブルートゥースなどの無線通信によって、情報を送受信することができる。
【００４５】
通信端末装置本体１２は、ハンドセット２２および本体側操作部２３を含む。ハンドセット２２は、送話部および受話部を有し、送話部から音声を入力し、受話部から音声を出力することができる。本体側操作部２３は、ダイヤルボタンなどを含む各種の操作ボタンを有する。使用者は、前記本体側操作部２３の操作ボタンを操作することによって、たとえば電話番号などを入力することができる。ハンドセット２２および本体側操作部２３を含んで、通信端末装置本体１２の入力手段が構成される。
【００４６】
通信端末装置本体１２は、背後から手前に向かうにつれて下方に傾斜する表面部２５を有する。この表面部２５は、前記ハンドセット２２を支持するためのハンドセット支持部２６と、表示パネル本体１３を装着するための装着部２７と、前記本体側操作部２３とを有する。装着部２７には、前記本体側コネクタ２１が設けられる。装着部２７は、背後から手前に向かうにつれて表面部２５に垂直な方向に退避する。この装着部２７に、表示パネル本体１３が嵌まり込んで装着される。装着部２７には、装着状態において、表示パネル本体１３に設けられる後述の凸部３４ａ，３４ｂが嵌まり込む凹所２８ａ，２８ｂが形成される。
【００４７】
本実施の形態において、「手前」および「背後」は、使用者が通信端末装置１１を操作するときを想定して定義され、「手前」とは、通信端末装置１１に関して、使用者に近接する側を意味し、「背後」とは、通信端末装置１１に関して、使用者から離反する側を意味する。
【００４８】
本実施の形態では、通信端末装置本体１２の前記表面部２５は、基台１８の載置面１７に対してたとえば角度θ１＝４０．４°を成して傾斜する。また装着状態で表示パネル本体１３は、基台１８の載置面１７に対してたとえば角度θ２＝４９．４°を成して傾斜する（後述の図７参照）。
【００４９】
表示パネル本体１３は、所定の情報画像を表示する画像表示部２９と、各種の操作ボタンを有するパネル側操作部３０とを含む。画像表示部２９およびパネル側操作部３０は、表示パネル本体１３の一表面部３１に設けられる。表示パネル本体１３の一表面部３１は、装着状態において斜め手前側（図２においては紙面に垂直手前側）の上方に臨む。画像表示部２９は、液晶表示素子３２を含んで実現される。
【００５０】
表示パネル本体１３の他表面部３３には、前記パネル側コネクタ２０と、把持位置案内部としての凸部３４ａ，３４ｂとが設けられる。凸部３４ａ，３４ｂは、前記他表面部３３の両側部３５ａ，３５ｂにそれぞれ設けられる。凸部３４ａ，３４ｂは、表示パネル本体１３の下部３６ｂから上部３６ａに向かって延び、表示パネル本体１３の両側部３５ａ，３５ｂを使用者が手で把持したときに手指が部分的に嵌まり込むように形成される。表示パネル本体１３の両側部３５ａ，３５ｂは、予め定める把持位置に相当する。表示パネル本体１３の上部３６ａは、装着状態における表示パネル本体１３の上部３６ａである。表示パネル本体１３の下部３６ｂは、装着状態における表示パネル本体１３の下部３６ｂである。
【００５１】
表示パネル本体１３には、前記凸部３４ａ，３４ｂが形成されるので、使用者が手で安定した状態で表示パネル本体１３を把持することができるように、使用者の手指を案内することができる。したがって使用者は表示パネル本体１３を確実に把持することができる。これによって表示パネル本体１３を使用者が手で把持して使用する使用中に、使用者がこの表示パネル本体１３を落として破損させてしまうということを防ぐことができる。
【００５２】
しかも前記凸部３４ａ，３４ｂは、表面状態が粗くなるように形成される。これによって凸部３４ａ，３４ｂに対して使用者の手指がすべってしまうということを防止することができ、使用者は表示パネル本体１３をさらに確実に把持することができる。本実施の形態では、表面状態が粗くなるように前記凸部３４ａ，３４ｂが形成されるが、この代わりに、前記凸部３４ａ，３４ｂがゴムから成るシートによって実現されても、同様の効果を達成することができる。前記凸部３４ａ，３４ｂがゴムから成るシートによって実現される場合、表示パネル本体１３には凹部が形成され、この凹部にゴムから成るシートが接着剤によって接着される。
【００５３】
撮像カメラ１４は、表示パネル本体１３に設けられる。この撮像カメラ１４は、撮像レンズ３８および撮像素子３９を備え、周囲を撮像して画像を入力することができる。撮像素子３９は、たとえば電荷結合素子（Ｃｈａｒｇｅ  Ｃｏｕｐｌｅｄ  Ｄｅｖｉｃｅ、略称ＣＣＤ）によって実現される。前記パネル側操作部３０および撮像カメラ１４を含んで、表示パネル１５の入力手段が構成される。
【００５４】
図６は、撮像カメラ１４付近を拡大して示す拡大斜視図であり、図７は通信端末装置１１の断面図である。表示パネル本体１３の上部３６ａには、凹所４１が形成される。凹所４１は、装着状態で上方に開放しかつ表示パネル本体１３を厚み方向に貫通する。この凹所４１に撮像カメラ１４が嵌まり込む。したがって撮像カメラ１４は凹所４１に収容された状態となる。これによって撮像カメラ１４と他の物体との接触および衝突などを極力防ぎ、撮像カメラ１４を衝撃から保護することが可能となる。
【００５５】
撮像カメラ１４は、表示パネル本体１３の外周よりも内側に存在する角変位中心軸線Ｌ１まわりに、矢符Ａ１，Ａ２方向に角変位可能である。角変位中心軸線Ｌ１は、表示パネル本体１３の一側部３５ａから他側部３５ｂに向かって延びる。この角変位中心軸線Ｌ１は、装着状態においては水平に延びる。撮像カメラ１４は、前記角変位中心軸線Ｌ１に沿って長手の略円柱状であり、表示パネル本体１３に設けられる。撮像カメラ１４は、撮像レンズ３８が装着されるレンズ装着部４２を有する。このレンズ装着部４２は、撮像カメラ１４の長手方向中央部に設けられる。
【００５６】
撮像カメラ１４は、前方撮像位置と後方撮像位置とにわたって上下方向に角変位可能である。上下方向の角変位は、前記角変位中心軸線Ｌ１まわりの角変位すなわち矢符Ａ１，Ａ２方向の角変位と同義である。前方撮像位置は、レンズ装着部４２の上下視野角内の領域４４が角変位中心軸線Ｌ１を含む水平面４５よりも下方に突出した位置である。後方撮像位置は、レンズ装着部４２の上下視野角内の領域４４が角変位中心軸線Ｌ１を含む鉛直面４６に関して反転し前記水平面４５よりも下方に突出した位置である。レンズ装着部４２の上下方向の視野角θ３はたとえば６９．７°である。
【００５７】
具体的に説明すると、撮像カメラ１４は、表示パネル本体１３に対して前記角変位中心軸線Ｌ１まわりにたとえば約２２０°の範囲で角変位可能である。しかも撮像カメラ１４は、表示パネル１５の正面に臨む前面に垂直な法線方向に光軸Ｌ１１を向けた垂直撮像位置から図７の矢符Ａ１方向にたとえば角度θ１１＝４０．６°角変位することができる。前記垂直撮像位置から矢符Ａ１方向に角度θ１１＝４０．６°角変位した位置が、前記前方撮像位置である。また前記前方撮像位置から図７の矢符Ａ２方向にたとえば角度θ１２＝２２０°角変位した位置が、前記後方撮像位置である。
【００５８】
表示パネル本体１３には、傾斜部４８が設けられる。この傾斜部４８は、撮像カメラ１４のレンズ装着部４２が前記前方撮像位置に配置された状態における上下方向の視野角内の領域４４に凹所４１を介して下方から臨む。傾斜部４８の表面４８ａは、前記凹所４１に臨む凹状面５０に連なり、表示パネル本体１３の他表面部３３から一表面部３１に向かうにつれて表示パネル本体１３の上部３６ａから下部３６ｂに向かって傾斜し、そして表示パネル本体１３の一表面３１ａに連なる。前記傾斜部４８の表面４８ａは、表示パネル本体１３の一表面３１ａと前記凹状面５０とに滑らかに連なる曲面によって形成されるので、美観を向上することができる。
【００５９】
図８は、撮像カメラ１４およびカメラ保持手段５２の具体的構成を示す断面図である。前記撮像カメラ１４は、表示パネル本体１３の上部３６ａに形成される凹所４１に、前記角変位中心軸線Ｌ１に関して、前記撮像レンズ３８が図８の紙面に垂直手前側に臨む前方撮像位置から上方を臨みながら反転して後方撮像位置に臨む矢符Ａ２方向、および前記後方撮像位置から上方を臨みながら反転して前記前方撮像位置に臨む矢符Ａ１方向に角変位可能に収容される。この撮像カメラ１４は、カメラ保持手段５２によって表示パネル本体１３に矢符Ａ１，Ａ２方向に角変位可能に保持され、可撓性の接続ケーブル５３の一端部５３ａが接続される。
【００６０】
図９は、図８の上方から見た撮像カメラ１４およびカメラ保持手段５２を示す平面図である。前記カメラ保持手段５２は、撮像カメラ本体５５の一側部５５ａに設けられる第１カメラ軸５６と、撮像カメラ本体５５の他側部５５ｂに設けられる第２カメラ軸５７と、撮像カメラ１４の矢符Ａ１，Ａ２方向の角変位動作を制動する制動手段５８と、前方撮像位置および後方撮像位置で撮像カメラ１４の角変位動作を解除可能に係止する係止手段５９とを含む。
【００６１】
第１および第２カメラ軸５６，５７は、前記角変位中心軸線Ｌ１上に共通に各軸線を有する。第１カメラ軸５６は、その軸線方向一端部５６ａが表示パネル本体１３内に設けられるパネル側ブラケット６１によって軸支され、軸線方向他端部５６ｂはこの他端部５６ｂに設けられるカメラ側ブラケット６２によって撮像カメラ本体５５の一側部５５ａに固定される。第２カメラ軸５７は、その軸線方向一端部５７ａが撮像カメラ本体５５の他側部５５ｂに固定され、軸線方向他端部５７ｂは表示パネル本体１３内の軸受部材６３（図１２参照）によって軸支される。
【００６２】
図１０は、制動手段５８および係止手段５９の構成を示す図９の左側から見た側面図であり、図１１はカメラ保持手段５２の断面図である。前記パネル側ブラケット６１は、表示パネル本体１３内のフレーム６５に図示しないビスによって固定される基部６６と、この基部６６の一側部６６ａから垂直に立上がる立上がり部６７とを有する。
【００６３】
立上がり部６７には、前記第１カメラ軸５６の軸線方向一端部５６ａが挿通する軸孔６８が形成され、この軸孔６８を挿通する部分は、前記立上がり部６７に装着されたロックプレート６９を挿通し、板ばね７１、ばね取付け片７２、直円筒状のブッシュ７３および座金７４が装着され、ビス７５によって固定される。
【００６４】
ブッシュ７３にはカメラ回動位置の検出に用いられる回動位置検出用カムが装着される。前記パネル側ブラケット６１、ロックプレート６９、板ばね７１およびばね取付け片７２を含んで、前記制動手段５８および係止手段５９が構成される。
【００６５】
前記第１および第２カメラ軸５６，５７は、剛性が高くかつ軽量な材料、たとえばアルミニウム合金またはステンレス鋼から成り、大略的に直円柱状のピンによって実現される。また、前記板ばね７１は、ばね鋼から成る薄板を打抜き加工および曲げ加工して形成され、基部７７の周縁部には約９０°毎に３つの係着部７８が基部７７に対してほぼ直角に屈曲して形成され、周方向両側の係着部７８間には前記基部７７から突出する突部７９が形成される。前記基部７７は、その周縁部から半径方向内方になるにつれて前記ばね取付け片７２から離反する方向に湾曲して形成され、前記突部７９に対するばね性が高められている。
【００６６】
前記板ばね７１は、前述したようにばね取付け片７２に装着される基部７７と、基部７７から突出する突部７９とを有する。また、前記ロックプレート６９には、前記突部７９が離脱可能に嵌まり込む３つの嵌合孔８０ａ〜８０ｃが前記角変位中心軸線Ｌ１に関して周方向に位置を違えて形成される。第１嵌合孔８０ａに前記突部７９が嵌合した状態では、撮像カメラ１４の撮像レンズ３８は、前記表示パネル１５が通信端末装置本体１２に装着された状態において光軸Ｌ１１がほぼ水平に配置される前方撮像位置に配置される。また第２嵌合孔８０ｂに前記突部７９が嵌合した状態では、前記撮像レンズ３８は表示パネル１５が通信端末装置本体１２に装着された状態において光軸Ｌ１１が前記前方撮像位置から角度θ１２＝２２０°後方に反転した後方撮像位置に配置される。さらに第３嵌合孔８０ｃに前記突部７９が嵌合した状態では、前記撮像レンズ３８は略水平な前方撮像位置よりも角度θ１１＝４０．６°上方（後方撮像位置側）に矢符Ａ２方向に角変位し、表示パネル１５の正面に臨む前面に垂直な法線方向に光軸Ｌ１１を向けた垂直撮像位置に配置される。
【００６７】
前記撮像カメラ本体５５は、撮像レンズ３８が嵌まり込む上カメラケース８２と、上カメラケース８２に装着される下カメラケース８３とを有し、上カメラケース８２および下カメラケース８３間の内部空間８４には前記接続ケーブル５３の一端部５３ａが収容され、各カメラケース８２，８３に複数のビスなどによって平坦状に固定される。この平坦状の領域には、撮像素子３９が直接、搭載され、接続ケーブル５３の各配線に電気的にかつ機械的に接続される。
【００６８】
撮像カメラ１４から延びる接続ケーブル５３は、表示パネル１５内で直角に折り曲げられ、前記第１カメラ軸５６に弛緩状態で巻回される。これによって撮像カメラ１４の前方撮像位置および後方撮像位置間の角変位を許容している。各カメラケース８２，８３は、複数のビスによって相互に分離可能に連結される。
【００６９】
図１２は、表示パネル１５の内部構造を簡略化して示す正面図であり、図１３は表示パネル１５の側面図であり、図１４は表示パネル１５の分解図である。表示パネル本体１３は、実装部品組立体８６、前カバー体８７および後カバー体８８を有する。
【００７０】
実装部品組立体８６は、フレーム６５を有する。フレーム６５の一表面部には、液晶表示素子３２が取り付けられる。フレーム６５の他表面部には、配線基板８９が取り付けられる。配線基板８９には、回路基板および電子部品などの所定の回路部品が実装される。この回路部品は、たとえば撮像カメラ１４による撮像によって取得した画像を処理したり、前記画像に基づいて液晶表示素子３２を制御したりする。フレーム６５の他表面部には、画像表示部２９のバックライトに電力を供給するためのインバータ９０がさらに取り付けられる。このようにフレーム６５に前記各部品が実装されて、実装部品組立体８６が構成される。実装部品組立体８６には、前記撮像カメラ１４が設けられる。
【００７１】
前カバー体８７は、実装部品組立体８６を一表面側から覆う。この前カバー体８７には、前記液晶表示素子３２が嵌まり込む開口部９１が形成されかつ前記傾斜部４８が設けられる。後カバー体８８は、実装部品組立体８６を他表面側から覆う。実装部品組立体８６と後カバー体８８との間には、実装部品組立体８６に電力を供給するための電源部９２が設けられる。この電源部９２は、たとえば充電池によって実現される。
【００７２】
表示パネル本体１３は、パネル側操作部３０として、機能ボタン９３、シャッタボタン９４、十字ボタン９５および中央ボタン９６を有する。機能ボタン９３は、カメラ機能を選択するためのボタンである。シャッタボタン９４は、撮像カメラ１４による撮像のためのボタンである。十字ボタン９５は、液晶表示素子３２に表示されるカーソルを上下・左右に移動するためのボタンであって、上ボタン、下ボタン、左ボタンおよび右ボタンを有する。中央ボタン９６は、たとえば処理内容などを決定するためのボタンであって、十字ボタン９５の中央に配置される。
【００７３】
図１５は、撮像カメラ１４による撮像が可能な撮像領域９７を示す図であり、撮像カメラ１４のレンズ装着部４２が前方撮像位置に配置された状態における撮像領域９７を示す。同図では、撮像領域９７を撮像レンズ３８の光軸Ｌ１１を含む鉛直面で切断して見た撮像領域９７の断面を示す。撮像領域９７は、大略的に円錐形状である。本実施の形態では、通信端末装置本体１２が、床からの高さＨ１がたとえば約７５０ｍｍの基台１８に載置された場合を、一例として示す。この場合、装着状態で、撮像カメラ１４の床からの高さＨ２はたとえば約９４４ｍｍである。
【００７４】
通信端末装置１１の手前に通信端末装置１１から、約３００ｍｍ離れた位置Ｐ１に関しては床からの高さＨ１１が約８００ｍｍの位置に存在する撮像対象を撮像することができ、約１０００ｍｍ離れた位置Ｐ２に関しては床からの高さＨ１２が約５１０ｍｍの位置に存在する撮像対象を撮像することができ、約１５００ｍｍ離れた位置Ｐ３に関しては床からの高さＨ１３が約３０３ｍｍの位置に存在する撮像対象を撮像することができる。このように本実施の形態は、通信端末装置１１に近接し、かつ撮像カメラ１４よりも低い位置に存在する撮像対象であっても、その撮像対象を撮像カメラ１４によって撮像することが可能となる。
【００７５】
以上のように本実施の形態によれば、通信端末装置本体１２は、略水平な載置面１７に載置される。通信端末装置本体１２には、表示パネル本体１３が着脱可能に装着される。表示パネル本体１３には、撮像カメラ１４が前方撮像位置と後方撮像位置とにわたって角変位可能に設けられる。この表示パネル本体１３には、撮像カメラ１４のレンズ装着部４２が前方撮像位置に配置された状態における上下方向の視野角内の領域４４に下方から臨む傾斜部４８が設けられる。これによって、撮像カメラ１４のレンズ装着部４２が前方撮像位置に配置された状態において、表示パネル本体１３の一部が上下方向の視野角内の領域４４に入り込んでしまうという不具合が防がれる。したがって本実施の形態の通信端末装置１１のように表示パネル本体１３が鉛直に対して水平に近い角度で傾斜した姿勢で通信端末装置本体１２に装着される構成であっても、水平に対して下方に大きな視野角で撮像することができる。
【００７６】
また本実施の形態によれば、表示パネル本体１３には、表示パネル本体１３が通信端末装置本体１２に装着された状態で上方に開放しかつ表示パネル本体１３を厚み方向に貫通する凹所４１が形成される。撮像カメラ１４は、このような凹所４１に角変位可能に嵌まり込む。したがって撮像カメラ１４は凹所４１に収容された状態となる。これによって撮像カメラ１４と他の物体との接触および衝突などを極力防ぎ、撮像カメラ１４を衝撃から保護することが可能となる。
【００７７】
しかも表示パネル本体１３に設けられる傾斜部４８は、前記凹所４１を介して上下方向の視野角内の領域４４に下方から臨む。したがって撮像カメラ１４が凹所４１に嵌まり込んでいても、撮像カメラ１４のレンズ装着部４２が前方撮像位置に配置された状態において、表示パネル本体１３の一部が上下方向の視野角内の領域４４に入り込んでしまうという不具合が防がれる。
【００７８】
また本実施の形態によれば、傾斜部４８が、表示パネル本体１３の一表面と前記凹所４１に臨む凹状面５０とに滑らかに連なる曲面によって形成されるので、美観を向上することができる。
【００７９】
また本実施の形態によれば、実装部品組立体８６には、撮像カメラ１４、配線基板８９および液晶表示素子３２が設けられる。前カバー体８７は、前記実装部品組立体８６を一表面側から覆い、後カバー体８８は、前記実装部品組立体８６を他表面側から覆う。表示パネル本体１３は、前述の実装部品組立体８６、前カバー体８７および後カバー体８８を含んで構成されるので、これらを個別に準備して組み立てることによって、組立性を向上することができる。また特に実装部品組立体８６に撮像カメラ１４が設けられるので、前カバー体８７および後カバー体８８によって撮像カメラ１４を角変位可能に保持する場合に比べて、より安定した撮像カメラ１４の角変位動作を実現することができる。
【００８０】
また本実施の形態によれば、表示パネル本体１３には、カメラ保持手段５２が設けられる。カメラ保持手段５２には、撮像カメラ１４が前方撮像位置と後方撮像位置とにわたって角変位可能に連結される。カメラ保持手段５２は、制動手段５８を含み、この制動手段５８は、前方撮像位置および後方撮像位置間で撮像カメラ１４の角変位動作を制動する。これによって撮像カメラ１４がむやみに角変位してしまうという不具合を防止することができる。
【００８１】
また本実施の形態によれば、表示パネル本体１３には、カメラ保持手段５２が設けられる。カメラ保持手段５２には、撮像カメラ１４が前方撮像位置と後方撮像位置とにわたって角変位可能に連結される。カメラ保持手段５２は、係止手段５９を含み、この係止手段５９は、前方撮像位置および後方撮像位置で撮像カメラ１４の角変位動作を解除可能に係止する。係止手段５９によって角変位動作が係止される時、いわゆるクリック感を使用者に与えることができる。これによって撮像カメラ１４が前方撮像位置および後方撮像位置のいずれかに角変位動作されたことを、使用者に認識させることができる。
【００８２】
また本実施の形態によれば、表示パネル本体１３には、把持位置案内部としての凸部３４ａ，３４ｂが設けられる。凸部３４ａ，３４ｂは、表示パネル本体１３の予め定める把持位置を使用者が手で把持したときに手指が部分的に嵌まり込むように形成される。これによって使用者が手で安定した状態で表示パネル本体１３を把持することができるように、使用者の手指を案内することができる。
【００８３】
また本実施の形態によれば、通信端末装置本体１２が通信回線に有線で接続されるので、無線で接続される場合に比べて、安定した通信を容易に実現することができる。
【００８４】
【発明の効果】
以上のように本発明によれば、通信端末装置本体は、略水平な載置面に載置される。通信端末装置本体には、表示パネル本体が着脱可能に装着される。表示パネル本体には、撮像カメラが角変位可能に設けられる。この表示パネル本体には、撮像カメラのレンズ装着部が前方撮像位置に配置された状態における上下方向の視野角内の領域に下方から臨む傾斜部が設けられる。これによって、撮像カメラのレンズ装着部が前方撮像位置に配置された状態において、表示パネル本体の一部が上下方向の視野角内の領域に入り込んでしまうという不具合が防がれる。特に、表示パネル本体が鉛直に対して水平に近い角度で傾斜した姿勢で通信端末装置本体に装着される構成であっても、前記状態において表示パネル本体の一部が上下方向の視野角内の領域に入り込んでしまうという不具合が防がれるので、水平に対して下方に大きな視野角で撮像することができる。
【００８５】
また本発明によれば、表示パネル本体には、表示パネル本体が通信端末装置本体に装着された状態で上方に開放しかつ表示パネル本体を厚み方向に貫通する凹所が形成される。撮像カメラは、このような凹所に角変位可能に嵌まり込む。したがって撮像カメラは凹所に収容された状態となる。これによって撮像カメラと他の物体との接触および衝突などを極力防ぎ、撮像カメラを衝撃から保護することが可能となる。
【００８６】
しかも表示パネル本体に設けられる傾斜部は、前記凹所を介して上下方向の視野角内の領域に下方から臨む。したがって撮像カメラが前述のように凹所に嵌まり込んでいても、撮像カメラのレンズ装着部が前方撮像位置に配置された状態において、表示パネル本体の一部が上下方向の視野角内の領域に入り込んでしまうという不具合が防がれる。
【００８７】
さらに本発明によれば、傾斜部が、表示パネル本体の一表面と前記凹所に臨む凹状面とに滑らかに連なる曲面によって形成されるので、美観を向上することができる。
【００８８】
さらに本発明によれば、実装部品組立体には、撮像カメラ、配線基板および液晶表示素子が設けられる。前カバー体は、前記実装部品組立体を一表面側から覆い、後カバー体は、前記実装部品組立体を他表面側から覆う。表示パネル本体は、前述の実装部品組立体、前カバー体および後カバー体を含んで構成されるので、これらを個別に準備して組み立てることによって、組立性を向上することができる。また特に実装部品組立体に撮像カメラが設けられるので、前カバー体および後カバー体によって撮像カメラを角変位可能に保持する場合に比べて、より安定した撮像カメラの角変位動作を実現することができる。
【００８９】
さらに本発明によれば、表示パネル本体にはカメラ保持手段が設けられる。カメラ保持手段には、撮像カメラが前方撮像位置と後方撮像位置とにわたって角変位可能に連結される。カメラ保持手段によって、撮像カメラを表示パネル本体に角変位可能に設けることができる。
【００９０】
さらに本発明によれば、表示パネル本体には、カメラ保持手段が設けられる。カメラ保持手段には、撮像カメラが前方撮像位置と後方撮像位置とにわたって角変位可能に連結される。カメラ保持手段は、制動手段を含み、この制動手段は、前方撮像位置および後方撮像位置間で撮像カメラの角変位動作を制動する。これによって撮像カメラがむやみに角変位してしまうという不具合を防止することができる。
【００９１】
さらに本発明によれば、表示パネル本体には、カメラ保持手段が設けられる。カメラ保持手段には、撮像カメラが前方撮像位置と後方撮像位置とにわたって角変位可能に連結される。カメラ保持手段は、係止手段を含み、この係止手段は、前方撮像位置および後方撮像位置で撮像カメラの角変位動作を解除可能に係止する。係止手段によって角変位動作が係止される時、いわゆるクリック感を使用者に与えることができる。これによって撮像カメラが前方撮像位置および後方撮像位置のいずれかに角変位動作されたことを、使用者に認識させることができる。
【００９２】
さらに本発明によれば、表示パネル本体には、把持位置案内部が設けられる。把持位置案内部は、表示パネル本体の予め定める把持位置を使用者が手で把持したときに手指が部分的に嵌まり込むように形成される。これによって使用者が手で安定した状態で表示パネル本体を把持することができるように、使用者の手指を案内することができる。
【００９３】
さらに本発明によれば、通信端末装置本体が通信回線に有線で接続されるので、無線で接続される場合に比べて、安定した通信を容易に実現することができる。
【図面の簡単な説明】
【図１】本発明の実施の一形態の通信端末装置１１の全体の構成を示す斜視図である。
【図２】表示パネル本体１３が通信端末装置本体１２に装着された状態における通信端末装置１１を示す正面図である。
【図３】表示パネル本体１３が通信端末装置本体１２から離脱された状態における通信端末装置１１を示す正面図である。
【図４】表示パネル１５の背面図である。
【図５】通信端末装置本体１２の正面図である。
【図６】撮像カメラ１４付近を拡大して示す拡大斜視図である。
【図７】通信端末装置１１の断面図である。
【図８】撮像カメラ１４およびカメラ保持手段５２の具体的構成を示す断面図である。
【図９】図８の上方から見た撮像カメラ１４およびカメラ保持手段５２を示す平面図である。
【図１０】制動手段５８および係止手段５９の構成を示す図９の左側から見た側面図である。
【図１１】カメラ保持手段５２の断面図である。
【図１２】表示パネル１５の内部構造を簡略化して示す正面図である。
【図１３】表示パネル１５の側面図である。
【図１４】表示パネル１５の分解図である。
【図１５】撮像カメラ１４による撮像が可能な撮像領域９７を示す図である。
【符号の説明】
１１  通信端末装置
１２  通信端末装置本体
１３  表示パネル本体
１４  撮像カメラ
１５  表示パネル
１７  載置面
１８  基台
２０  パネル側コネクタ
２１  本体側コネクタ
２２  ハンドセット
２３  本体側操作部
２５  表面部
２６  ハンドセット支持部
２７  装着部
２９  画像表示部
３０  パネル側操作部
３１  一表面部
３２  液晶表示素子
３３  他表面部
３４ａ，３４ｂ  凸部
３５ａ，３５ｂ  表示パネル本体１３の両側部
３８  撮像レンズ
３９  撮像素子
４１  凹所
４２  レンズ装着部
４４  上下視野角内の領域
４５  水平面
４８  傾斜部
５０  凹状面
５２  カメラ保持手段
５３  接続ケーブル
５６  第１カメラ軸
５７  第２カメラ軸
５８  制動手段
５９  係止手段
６５  フレーム
８６  実装部品組立体
８７  前カバー体
８８  後カバー体
８９  配線基板
９１  開口部
【図１】
2005012576.tif 000003
【図２】
2005012576.tif 000004
【図３】
2005012576.tif 000005
【図４】
2005012576.tif 000006
【図５】
2005012576.tif 000007
【図６】
2005012576.tif 000008
【図７】
2005012576.tif 000009
【図８】
2005012576.tif 000010
【図９】
2005012576.tif 000011
【図１０】
2005012576.tif 000012
【図１１】
2005012576.tif 000013
【図１２】
2005012576.tif 000014
【図１３】
2005012576.tif 000015
【図１４】
2005012576.tif 000016
【図１５】
2005012576.tif 000017